(57)【特許請求の範囲】
【請求項１】
皿上に配置される本体部と、本体部に対して上下に移動可能に設けた可動部とを備え、可動部を上下に移動させることで全体の高さを調節可能としてあり、本体部は、略円柱状に形成してあると共に、周囲にスリットが斜め又は上下に形成してあり、可動部は、本体部の周囲に嵌める略円筒状に形成してあると共に、本体部のスリットに差込まれる差込部を有し、本体部のスリット中に可動部の差込部が係止する係止部を間隔をおいて複数設けてあることを特徴とする皿重ね用具。
【請求項２】
可動部の上部を本体部の下部に嵌合させることで、上下に連結自在としたことを特徴とする請求項１記載の皿重ね用具。
【発明の詳細な説明】
【技術分野】
【０００１】
本発明は、料理を盛り付けた皿を複数重ねるときに使用する皿重ね用具に関する。
【背景技術】
【０００２】
宴会やパーティー等で料理を提供する場合、同じ料理を多数の皿に盛り付けた上で、図１０に示すように、皿枠と呼ばれる円形の枠９０を間に置いて料理９１を盛り付けた皿９２を複数重ね、これを宴会等で料理を出す時間まで冷蔵庫に入れて冷やしている。皿枠９０は、皿９２よりも一回り小さいものでなくてはならず、皿９２の大きさや形（円形、小判形…）に合わせて、皿枠９０を多種類準備する必要があった。また皿枠９０は、皿９２のサイズごとに高さの違うものが複数用意されており、本来なら料理９１のかさ（皿の表面からの高さ）に応じた高さの皿枠９０を用いるのが好ましいが、大きさの違いだけでもたくさんの種類の皿枠９０を揃えなければならないのに、高さの違うものまで揃えると費用がかさむため、通常は一番背の高い皿枠９０を購入し、カルパッチョのように薄く盛り付ける料理９１に対しても背の高い皿枠９０を使用しており、そのため冷蔵庫内でかさばり、無駄にスペースをとってしまう不都合があった。また皿枠９０は、使用しないときに棚等に収納する際にも、皿枠９０自体が大きいので余分なスペースをとる。
【０００３】
特許文献１，２には、皿枠の代わりに、皿の縁に引っ掛けて三つの皿重ね用具を分散配置して、料理を盛り付けた皿を重ねることが記載されている。この方式によれば、皿の大きさや形によらず同じものが使用できるし、皿重ね用具だけをまとめて収納する際にも場所をとらない。しかし従来のこうした皿重ね用具は、高さが一定のため、皿と皿の間に無駄なスペースができ、冷蔵庫内に入る皿の枚数を多くできない。
【先行技術文献】
【特許文献】
【０００４】
【特許文献１】実用新案登録第３１３０９６７号公報
【特許文献２】特開平１１−７６０３０号公報
【発明の概要】
【発明が解決しようとする課題】
【０００５】
本発明は以上に述べた実情に鑑み、皿の形や大きさによらず用いることができ、省スペース化が図れる皿重ね用具の提供を目的とする。
【課題を解決するための手段】
【０００６】
上記の課題を達成するために請求項１記載の発明による皿重ね用具は、皿上に配置される本体部と、本体部に対して上下に移動可能に設けた可動部とを備え、可動部を上下に移動させることで全体の高さを調節可能としてあり、本体部は、略円柱状に形成してあると共に、周囲にスリットが斜め又は上下に形成してあり、可動部は、本体部の周囲に嵌める略円筒状に形成してあると共に、本体部のスリットに差込まれる差込部を有し、本体部のスリット中に可動部の差込部が係止する係止部を間隔をおいて複数設けてあることを特徴とする。
【０００８】
請求項２記載の発明による皿重ね用具は、請求項１記載の発明の構成に加え、可動部の上部を本体部の下部に嵌合させることで、上下に連結自在としたことを特徴とする。
【発明の効果】
【０００９】
請求項１記載の発明による皿重ね用具は、皿の縁部に三つ程度分散して配置して皿を重ねられ、皿の大きさや形によらず用いることができる。しかも、可動部を上下に移動させることで全体の高さを調節可能としたので、皿に盛り付けた料理のかさに応じて皿と皿の間の間隔を適宜調節し、皿と皿の間に無駄なスペースができるのを防げるので、省スペース化が図られる。また、一つ一つの皿重ね用具は非常にコンパクトにできるので、使用しないときに棚等に収納する際にもスペースをとらない。
【００１０】
さらに本発明による皿重ね用具は、可動部を回転させて差込部を本体部に形成したスリット中の係止部に選択的に係止させることで、高さを容易に且つ段階的に調節できる。
【００１１】
請求項２記載の発明による皿重ね用具は、可動部の上部を本体部の下部に嵌合させて上下に連結することにより、高さをより高くすることができる。
【図面の簡単な説明】
【００１２】
【図１】本発明の皿重ね用具の正面図であって、高さを段階的に高くしていったときの状態を示している。
【図２】（ａ）は本発明の皿重ね用具の平面図、（ｂ）は同正面図、（ｃ）はＡ−Ａ断面図である。
【図３】本発明の皿重ね用具の分解斜視図である。
【図４】（ａ）は本発明の皿重ね用具の使用状態を示す平面図、（ｂ）は同正面図である。
【図５】可動部を本体部と分離し、分離した可動部を本体部の下に連結して高さを高くする手順を示す正面図である。
【図６】本発明の皿重ね用具を上下に連結することで、高さを順次高くする状態を示す正面図である。
【図７】本発明の皿重ね用具の使用状態の他の例を示す斜視図である。
【図８】浅バット上の皿及び皿重ね用具の配置例を示す平面図である。
【図９】本発明の皿重ね用具の他の実施形態を示す正面図であって、高さを段階的に高くしていったときの状態を示している。
【図１０】従来の皿枠を用いて料理を盛り付けた皿を重ねた状態を示す正面図である。
【発明を実施するための形態】
【００１３】
以下、本発明の実施の形態を図面に基づいて説明する。本発明の皿重ね用具８は、図４に示すように、料理９を盛り付けた皿７の縁部上面に分散して配置し、皿７を複数枚重ねるのに用いられる。
本皿重ね用具８は、図２，３に示すように、略円柱状に形成された本体部１と、本体部１に上方から嵌めた略円筒状の可動部２とから構成されている。本体部１と可動部２は、何れも硬質樹脂により形成されている。
【００１４】
本体部１には、可動部２との摺接面に斜めのスリット３が形成してあり、可動部２に取付けたネジ５が本体部１のスリット３に差込んである。スリット３の両端部と中間部の２箇所には、ネジ５が係止する係止部４が形成してある。スリット３とネジ５は、背面側にも同じように形成してある。また本皿重ね用具８は、可動部２の上部と本体部１の下部とに、互いに嵌合する嵌合部６ａ，６ｂが設けられている。可動部２の嵌合部６ａの外周面には略Ｌ形の係止爪１０が形成され、本体部１の嵌合部６ｂの内周面には、係止爪１０に係止する突起１１が設けてある。
【００１５】
本皿重ね用具８は、図１に示すように、可動部２を時計方向に回転させると、ネジ５が本体部１の斜めのスリット３にガイドされて可動部２が上昇し、スリット３中に形成された複数の係止部４にネジ５を選択的に係止させることで、高さを４段階に調節することができる。これにより、図４（ｂ）に示すように、皿７に盛り付けた料理９のかさに応じて皿重ね用具８の高さを調節し、皿７と皿７の間に無駄なスペースができるのを防いで省スペース化を図ることができ、皿７を重ねた状態で冷蔵庫に入れて冷やす際に、極力たくさんの皿７を収容できる。
【００１６】
図１（ｄ）に示すように、ネジ５を最も高い位置の係止部４に係止してもまだ高さが足りない場合には、図５（ａ）に示すように、ネジ５を外して可動部２を本体部１の上方に抜き取り、図５（ｂ）に示すように、可動部２の上部に形成した嵌合部６ａを本体部１の下部に形成した嵌合部６ｂ内に嵌合させ、本体部１と可動部２を上下に連結することで、高さをより高くすることができる。さらに図５（ｃ）に示すように、可動部２を反時計方向に回転させ、可動部２の嵌合部６ａに形成した係止爪１０に本体部１の嵌合部６ｂに形成した突起１１を係止させることで、本体部１と可動部２とを抜け止めできる。
【００１７】
さらに本皿重ね用具８は、図６に示すように、可動部２と本体部１とを分離することなく可動部２と本体部１の嵌合部６ａ，６ｂを嵌合させ、上下に２つ、３つ、…と連結することもできる。このとき、係止爪１０と突起１１とにより、連結状態で抜け止めできる。
【００１８】
以上に述べたように本皿重ね用具８は、可動部２を回転させることで高さを簡便に調節することができ、さらには上下に連結することにより高さをより一層高くすることができる。これにより、皿７に盛り付けた料理９のかさに応じて高さを適宜調節し、皿７と皿７の間に無駄なスペースができるのを防ぎ、省スペース化を図ることができる。また本皿重ね用具８は、皿７の大きさや形によらず用いることができる上、一つ一つがコンパクトなので、使用しないときに棚等に収納する場合でもスペースをとらない。さらに本皿重ね用具８は、構造がシンプルで材料費も少なくて済むので、安価に製作できる。
【００１９】
図７，８は、本発明の皿重ね用具８の使用状態の他の例を示している。この例では、浅バット（パイレッシュとも呼ばれる）１２上に料理９を盛り付けた皿７を複数並べ、浅バット１２上の空いたスペースに複数の皿重ね用具８を分散配置して、浅バット１２を重ねている。皿重ね用具８は、浅バット１２上面からの皿７や料理９の突出高さに応じて、適宜高さを調節する。
従来の皿枠では、このように高さの異なる皿を載せた浅バット１２を積み重ねることはできなかったが、本皿重ね用具８を用いれば、皿７の大きさや配置、高さ等に柔軟に対応し、浅バット１２を安定的にしかも省スペースで容易に積み重ねられる。なお、浅バット１２上に皿７を用いずに食材を直接並べることもできる。
【００２０】
図９は、本発明の皿重ね用具８の他の実施形態を示している。本実施形態のものは、本体部１にスリット３が上下方向に形成され、スリット３の中間部と上端部とに係止部４が横向き形成してある。可動部２には、スリット３に差込まれる差込部１３が、可動部２の内面に一体成形されている。図９（ａ）は高さを一番低くした状態を示し、高さを高くする場合には、可動部２をまっすぐ上に持ち上げてから、可動部２を反時計方向に少し回転させ、図９（ｂ），（ｃ）に示すように、差込部１３をスリット３の中間や上端の係止部４に係止させる。
【００２１】
本発明は以上に述べた実施形態に限定されない。本体部１及び可動部２の具体的な形状や材質は、適宜変更することができる。可動部２の高さを調節自在とするための機構は、上記実施形態に限定されるものではなく、例えば可動部２を上下２段階に高さ調節できるもの、可動部２を本体部１にネジ結合し、可動部２を回転させることで無段階に高さ調節できるようにしたものであってもよい。本体部１と可動部２とは、必ずしも分離可能でなくてもよい。本体部１を皿７の縁に引っ掛けられるようにしたり、本体部１の下縁と可動部２の上縁とに、ゴムを付着させるなどの滑り止め処理を行ってもよい。本発明の皿重ね用具は、料理を盛り付けた皿に限らず、トレイ等の薄い皿状の容器や平板等を積み重ねる際に好適に利用できる。
【符号の説明】
【００２２】
１  本体部
２  可動部
３  スリット
４  係止部
５  ネジ（差込部）
６ａ，６ｂ  嵌合部  
７  皿
８  皿重ね用具
【要約】
【課題】  皿の形や大きさによらず用いることができ、省スペース化が図れる皿重ね用具の提供。
【解決手段】  皿７上に配置される本体部１と、本体部１に対して上下に移動可能に設けた可動部２とを備え、可動部２を上下に移動させることで全体の高さを調節可能とした。
【選択図】      図１【図１】
0004603096.tif 000002
【図２】
0004603096.tif 000003
【図３】
0004603096.tif 000004
【図４】
0004603096.tif 000005
【図５】
0004603096.tif 000006
【図６】
0004603096.tif 000007
【図７】
0004603096.tif 000008
【図８】
0004603096.tif 000009
【図９】
0004603096.tif 000010
【図１０】
0004603096.tif 000011